(57)【要約】【課題】製造コストを下げると共に、車体洗浄時の静音性を高めつつ、洗浄効果を増すことができる洗車機用洗浄ブラシ及び洗車機を提供する。【解決手段】自動車洗浄用あるいは車両洗浄用の洗車機用洗浄ブラシにおいて、該洗車機用洗浄ブラシは、軸体２と、ブラシ体１とを有し、前記軸体２の長手方向の複数箇所に前記ブラシ体１を固定する固定部２ａが形成されてあると共に、前記ブラシ体１の複数箇所に取付部１ａが形成されてあり、前記固定部２ａに前記取付部１ａを装着した。【選択図】      図１
2008024240.tif 000002
【特許請求の範囲】
【請求項１】
自動車洗浄用あるいは車両洗浄用の洗車機用洗浄ブラシにおいて、該洗車機用洗浄ブラシは、軸体と、ブラシ体とを有し、前記軸体の長手方向の複数箇所に前記ブラシ体を固定する固定部が形成されてあると共に、前記ブラシ体の複数箇所に取付部が形成されてあり、前記固定部に前記取付部を装着したことを特徴とする洗車機用洗浄ブラシ。
【請求項２】
自動車洗浄用あるいは車両洗浄用の洗車機用洗浄ブラシにおいて、該洗車機用洗浄ブラシは、軸体と、ブラシ体とを有し、前記軸体の長手方向の複数箇所に前記ブラシ体を固定する固定部が形成されてあると共に、前記ブラシ体の複数箇所に取付部が形成されてあり、前記固定部に対する装着前の前記取付部は、前記軸体の隣合う固定部間の距離よりも前記ブラシ体の隣合う取付部間の距離の方が長くなるようにしたことを特徴とする洗車機用洗浄ブラシ。
【請求項３】
自動車洗浄用あるいは車両洗浄用の洗車機用洗浄ブラシにおいて、該洗車機用洗浄ブラシは、軸体と、ブラシ体とを有し、該ブラシ体の下端を曲線状とし、前記下端の近傍に前記軸体を固定する取付部を設けたことを特徴とする洗車機用洗浄ブラシ。
【請求項４】
自動車洗浄用あるいは車両洗浄用の洗車機用洗浄ブラシにおいて、該洗車機用洗浄ブラシは、軸体と、ブラシ体とを有し、該ブラシ体の長手方向の複数箇所に設けられた取付部は、前記ブラシ体が前記軸体の長手方向に対して傾斜角を有するように前記軸体に固定されることを特徴とする洗車機用洗浄ブラシ。
【請求項５】
駆動源と、被洗浄面に散布する洗浄剤と、水を噴出させるノズルと、洗浄後の被洗浄面を乾燥させる乾燥手段とを備えると共に、請求項１から請求項４のいずれか１項に記載の洗車機用洗浄ブラシが搭載されてある洗車機。
【発明の詳細な説明】
【技術分野】
【０００１】
本発明は、ガソリンスタンド等に設置される洗車機と、この洗車機に使用される洗車機用洗浄ブラシに関するものである。
【背景技術】
【０００２】
従来の洗車機用洗浄ブラシには様々なものがある。例えば、回転軸の外周にスパイラル状の取付溝を複数形成し、該取付溝に複数のブラシ単体をつなぎ合わせて取付けたものがある（特許文献１）。
また、回転軸の外周に複数の円盤状のブラシ体を取付けたものであって、この円盤状のブラシ体の外周は山部と谷部が交互に形成されるように折り曲げ加工がされているものがある（特許文献２）。
【０００３】
【特許文献１】特開２００５−１７０２２１号公報
【特許文献２】特許第３５８５１７８号公報
【発明の開示】
【発明が解決しようとする課題】
【０００４】
上記従来の特許文献１に記載された技術ではスパイラル状の取付溝に複数のブラシ単体を組付ける作業が必要であり、コスト高となる。また、特許文献２に記載された技術では折り曲げ加工が必要であり、製造コストのわりには洗浄効果が向上するものではなかった。また、洗浄時に車体面にブラシ体が接触して発生するバタツキ音を下げる必要もあった。
【０００５】
本発明は上記点に鑑み、製造コストを下げると共に、車体洗浄時の静音性を高めつつ、洗浄効果を増すことができる洗車機用洗浄ブラシ及び洗車機を提供することを目的とする。
【課題を解決するための手段】
【０００６】
請求項１の発明は、自動車洗浄用あるいは車両洗浄用の洗車機用洗浄ブラシにおいて、該洗車機用洗浄ブラシは、軸体と、ブラシ体とを有し、前記軸体の長手方向の複数箇所に前記ブラシ体を固定する固定部が形成されてあると共に、前記ブラシ体の複数箇所に取付部が形成されてあり、前記固定部に前記取付部を装着したことに特徴を有する。したがって、軸体へのブラシ体の装着が容易である。
【０００７】
請求項２の発明は、自動車洗浄用あるいは車両洗浄用の洗車機用洗浄ブラシにおいて、該洗車機用洗浄ブラシは、軸体と、ブラシ体とを有し、前記軸体の長手方向の複数箇所に前記ブラシ体を固定する固定部が形成されてあると共に、前記ブラシ体の複数箇所に取付部が形成されてあり、前記固定部に対する装着前の前記取付部は、前記軸体の隣合う固定部間の距離よりも前記ブラシ体の隣合う取付部間の距離の方が長くなるようにしたことに特徴を有する。したがって、軸体にブラシ体を装着すると、ブラシ体の方が長いのでブラシ体は平面とはならず曲面となり、端部方向から視た場合に波状となる。
【０００８】
請求項３の発明は、自動車洗浄用あるいは車両洗浄用の洗車機用洗浄ブラシにおいて、該洗車機用洗浄ブラシは、軸体と、ブラシ体とを有し、該ブラシ体の下端を曲線状とし、前記下端の近傍に前記軸体を固定する取付部を設けたことに特徴を有する。したがって、ブラシ体を軸体に取付けた場合に、ブラシ体の軸体側の端部を直線状にしつつ、反対側の端部を波状にすることができる。
【０００９】
請求項４の発明は、自動車洗浄用あるいは車両洗浄用の洗車機用洗浄ブラシにおいて、該洗車機用洗浄ブラシは、軸体と、ブラシ体とを有し、該ブラシ体の長手方向の複数箇所に設けられた取付部は、前記ブラシ体が前記軸体の長手方向に対して傾斜角を有するように前記軸体に固定されることに特徴を有する。したがって、ブラシ体を軸体に装着した場合にブラシ体が曲面となり、端部方向から視た場合に波状となる。
【００１０】
請求項５の発明は、駆動源と、被洗浄面に散布する洗浄剤と、水を噴出させるノズルと、洗浄後の被洗浄面を乾燥させる乾燥手段とを備えると共に、請求項１から請求項４のいずれか１項に記載の洗車機用洗浄ブラシが搭載されてある洗車機に特徴を有する。したがって、ブラシ体の端部が波状となっていることから洗浄される車体面に対して、波状ブラシ体の一部のみが接触することとなり、静音性が高まる。
【発明の効果】
【００１１】
請求項１の発明では、軸体とブラシ体との装着が容易となり、請求項２、請求項３及び請求項４の発明では、ブラシ体が波状となることから静音性及び洗浄効果が高められる。また、請求項５の発明では、静音性及び洗浄効果を高めつつ、コストの低減も図れる洗車機を提供できる。
【発明を実施するための最良の形態】
【００１２】
次に、本発明の実施形態を図面に基づいて説明する。図１は本発明の第１実施形態を示す説明図である。図１（ａ）に示すブラシ体１は布帛で製作されており、一方の端部に複数のスリット３・・・が形成されている。また、他方の端部には、軸体２の固定部２ａに装着される複数の取付部１ａ・・・が所定の間隔をおいて形成されている。図１（ｂ）に示す軸体２は金属で製作されており、長手方向に所定の間隔をおいて上下２列に複数の固定部２ａが形成されている。したがって、軸体２の固定部２ａにブラシ体１の取付部１ａを装着することによって、図１（ｃ）の断面図のようになる。ここで、６は布帛と取付部１ａとを結合するリベットであり、７は取付部を軸体２の固定部２ａに装着するネジである。これにより、図１（ｄ）の如くの洗車機用洗浄ブラシ６６を容易に製作することができる。
【００１３】
ここで、ブラシ体１である布帛は、ポリエステル繊維を平織した織布にて形成されている。尚、布帛は、ポリエステル繊維を綾織により織布として形成して用いることもできる。さらに、布帛は、ポリエステル繊維を水流絡合、熱圧着、ケミカルバインダー接着等の方法により不織布として形成しても良いし、ポリエステル繊維を編んで編布として形成して使用することもできる。また、繊維は前記ポリエステル以外にも、ポリアミド繊維、ポリエチレン繊維、ポリプロピレン繊維、アクリル繊維等の合成樹脂繊維、綿、レーヨン、絹等の天然繊維を単独、或いは併用して用いても何ら支障は無い。また、ブラシ体１は、上記以外にも、合成樹脂発泡体、フィルム状樹脂組成物、合成樹脂繊維、合成皮革、人工皮革等の皮革を単独、或いは上記材質と併用して用いても何ら支障は無い。
【００１４】
図２は本発明の第２実施形態を示す説明図である。図２（ａ）に示すブラシ体１０は布帛で製作されており、一方の端部に複数のスリット３・・・が形成されている。また、他方の端部には、軸体２０の固定部２０ａに装着される複数の取付部１０ａ・・・が長さＬ１の間隔で形成されている。図２（ｂ）に示す軸体２０は金属で製作されており、長手方向に形成された溝２０ｂの中に固定部２０ａがＬ２の間隔で形成されている。
【００１５】
ここで、取付部１０ａの間隔Ｌ１は、固定部の間隔Ｌ２よりも長くしてある。したがって、図２（ｃ）に示すように、軸体２０の固定部２０ａにブラシ体１０の取付部１０ａを装着した場合には、ブラシ体１０が余ることになるので、ブラシ体１０を端部方向から視た場合には波状となる。これによって、この洗車機用ブラシを洗車機に使用した場合には軸体２０を回転させると、波状のブラシ体１０の一部が順次、車体に接触することとなるので、バタツキ音を抑えることができると共に、洗浄効果を高めることができるのである。
【００１６】
図３は本発明の第３実施形態を示す図である。図３（ａ）に示すように、ブラシ体３０の軸体２０側の端部を曲線状としている。そして、軸体２０側の端部近傍に取付部３０ａが形成されている。また、軸体２０の反対側（車体接触側）の端部は直線状としている。このようにすることによって、図３（ｃ）に示すように、ブラシ体３０を軸体２０に装着した場合には、ブラシ体３０の車体接触側の端部は高さの異なる波状となる。したがって、異なる押し付け力で車体を洗浄でき、車体の凹凸や屈曲面に容易に対応できると共に、洗浄効果を高めることができる。
また、図３（ｂ）は、ブラシ体４０の軸体２０側と、車体接触側の両方の端部を曲線状としている。そして、軸体２０側の端部近傍に取付部４０ａが形成されている。このようにすることによって、図３（ｄ）に示すように、ブラシ体４０を軸体２０に装着した場合には、ブラシ体４０の車体接触側の端部は高さが同一の波状となる。したがって、車体との接触面積が広がり、車体の凹凸や屈曲面に容易に対応できると共に、洗浄効果を高めることができる。
【００１７】
図４は本発明の第４実施形態を示す図である。図４（ａ）に示すように、軸体５０の外周には所定の間隔をおいて、波状となるように固定部５０ａが形成されている。そして、図４（ｂ）に示すように、ブラシ体１０の取付部１０ａを固定部５０ａに軸体５０の長手方向に対して傾斜角θを有するように軸体５０の固定部５０ａに装着するのである。すると、ブラシ体１０は波状となる。したがって、第２実施形態及び第３実施形態と同様に、この洗車機用ブラシを洗車機に使用した場合には軸体５０を回転させると、波状のブラシ体１０の一部が順次、車体に接触することとなるので、バタツキ音を抑えることができると共に、洗浄効果を高めることができるのである。
【００１８】
次に、図５は本発明の洗車機用洗浄ブラシを搭載した洗車機の正面図である。洗車機６７は、図５のように、本発明の洗車機用洗浄ブラシ６６が搭載されており、この洗車機用洗浄ブラシ６６は駆動源６８より回転される。ノズル６９からは、被洗浄面に対して洗浄剤及び水が散布され、洗車機用洗浄ブラシ６６により、洗浄され、洗浄後は洗車機６７の乾燥手段である乾燥機９０により被洗浄面が乾燥される。
【００１９】
洗車機６７は、被洗浄面に傷を付けること無く、高い洗浄性を有すると共に、洗浄時の接触音を極力低減、或いは抑制でき、波状のブラシ体を有する洗車機用洗浄ブラシ６６が搭載されているので、被洗浄面に対して部分的に順次接触することとなる。その為、洗車機６７は、洗車機用洗浄ブラシ６６を高速回転に設定すると共に、洗浄時間を短時間に設定した場合においても、バタツキ音を抑えることができ、且つ洗浄残りの無い高い洗浄性が付与される。また、洗車機用洗浄ブラシ６６の回転を、低速回転から高速回転等に急変させた場合においても、前記と同様の作用が洗車機６７に付与される。その為、被洗浄面である車体に傷を付けることが無いと共に、洗浄時の接触音を極力低減、或いは抑制できる非常に高い洗浄性が発揮できる洗車機６７を提供することができる。
【００２０】
尚、本発明の趣旨を逸脱しない範囲において、種々の実施形態をとることができることは言うまでもない。例えば、図１（ｃ）において、取付部１ａを軸体２の固定部２ａにネジ７で固定しているが、これに限定されるものではなく、ネジ７に換えて軸体２に溝を形成し、この溝に取付部１ａを装着する構成としてもよい。
【産業上の利用可能性】
【００２１】
本発明の洗車機用洗浄ブラシ及び洗車機は主に、自動車或いは車両の外面の被洗浄面に付着した汚れ等を洗浄する為の洗車機、及び洗車機に搭載される洗車機用洗浄ブラシとして使用する。
【図面の簡単な説明】
【００２２】
【図１】本発明に係る洗車機用洗浄ブラシの第１実施形態を示す説明図である。
【図２】本発明に係る洗車機用洗浄ブラシの第２実施形態を示す説明図である。
【図３】本発明に係る洗車機用洗浄ブラシの第３実施形態を示す説明図である。
【図４】本発明に係る洗車機用洗浄ブラシの第４実施形態を示す説明図である。
【図５】本発明の洗車機用洗浄ブラシを搭載した洗車機の正面図である。
【符号の説明】
【００２３】
１，１０，３０，４０  ブラシ体
２，２０，５０  軸体
１ａ，１０ａ，３０ａ，４０ａ  取付部
２ａ，２０ａ，５０ａ  固定部
６６  洗車機用洗浄ブラシ
６７  洗車機
６８  駆動源
６９  ノズル
９０  乾燥機
【図１】
2008024240.tif 000003
【図２】
2008024240.tif 000004
【図３】
2008024240.tif 000005
【図４】
2008024240.tif 000006
【図５】
2008024240.tif 000007